(57)【要約】  第１インバータと、第１インバータと逆位相の電圧を出力する第２インバータと、第１インバータ及び第２インバータの各一方の出力端子間に接続された放電管と、第１インバータの他方の出力端子と共通電位との間に設けられ第１電流検出素子と第２電流検出素子とが直列接続された第１電流検出回路と、第２インバータの他方の出力端子と共通電位との間に設けられ第３電流検出素子と第４電流検出素子とが直列接続された第２電流検出回路と、第２電流検出要素の出力と第４電流検出要素の出力とを合成した信号に基づいて電流異常を検出し、第１インバータ及び第２インバータの動作を停止させる保護回路とを具備する。
2007117011.tif 000002
【特許請求の範囲】
【請求項１】
直流電源を高周波電力に変換する第１インバータと、
前記直流電源を前記第１インバータと逆位相の高周波電力に変換する第２インバータと、
前記第１インバータの一方の出力端子と前記第２インバータの一方の出力端子との間に接続された放電管と、
前記第１インバータの他方の出力端子と共通電位との間に設けられる第１電流検出器であって、第１電流検出要素と第２電流検出要素とが直列接続されてなるものと、
前記第２インバータの他方の出力端子と前記共通電位との間に設けられる第２電流検出器であって、第３電流検出要素と第４電流検出要素とが直列接続されてなるものと、
前記第１電流検出要素と前記第２電流検出要素とが接続された接続点と前記第３電流検出要素と前記第４電流検出要素とが接続された接続点とに共通に接続される保護回路であって、前記第２電流検出要素の出力と前記第４電流検出要素の出力とを合成した信号に基づいて電流異常を検出し、前記第１インバータ及び前記第２インバータの動作を停止させるものと
を具備することを特徴とする放電管点灯装置。
【請求項２】
前記第１インバータは、
前記直流電源の出力をスイッチングさせるスイッチング回路と、一次巻線の両端が前記スイッチング回路の出力に並列に接続され、二次巻線の両端が該第１インバータの出力端子を構成する第１トランスとを備え、
前記第２インバータは、
一次巻線の両端が前記スイッチング回路の出力に並列に接続され、前記第１トランスの二次巻線と逆相に巻かれた二次巻線の両端が該第２インバータの出力端子を構成する第２トランスを備える
ことを特徴とする請求項１記載の放電管点灯装置。
【発明の詳細な説明】
【技術分野】
【０００１】
本発明は、例えば冷陰極蛍光放電管（ＣＣＦＬ：Cold Cathode Fluorescent Lamp）などの放電管を点灯させる放電管点灯装置に関し、特に、浮遊容量に起因する異常状態を防止する技術に関する。
【背景技術】
【０００２】
図１は、従来の放電管点灯装置の回路構成を示す図である。この放電管点灯装置では、直流電源Ｖｃｃと共通電位（例えばグランド）との間には、４個のスイッチング素子Ｑ１〜Ｑ４がブリッジ接続されたスイッチング回路１が設けられている。スイッチング素子Ｑ２及びＱ４はＮチャンネルＭＯＳから構成されており、スイッチング素子Ｑ１及びＱ３はＰチャンネルＭＯＳから構成されている。ブリッジ接続されたスイッチング回路１の出力は、共振コンデンサＣ１を介して第１トランスＴ１の一次巻線Ｐ１に接続されるとともに、共振コンデンサＣ２を介して第２トランスＴ２の一次巻線Ｐ２に接続されている。【０００３】
第１トランスＴ１の二次巻線Ｓ１の一端は冷陰極蛍光放電管（以下、単に「放電管」という）２の一方の電極に接続され、二次巻線Ｓ１の他端は電流検出用の抵抗Ｒ１を介して共通電位に接続されている。放電管２の他方の電極は第２トランスＴ２の二次巻線Ｓ２の一端に接続され、第２トランスＴ２の二次巻線Ｓ２の他端は電流検出用の抵抗Ｒ２を介して共通電位に接続されている。【０００４】
第１トランスＴ１の二次巻線Ｓ１に流れる電流は、抵抗Ｒ１で発生される電圧として検出され、第２トランスＴ２の二次巻線Ｓ２に流れる電流は、抵抗Ｒ２で発生される電圧として検出される（詳細は後述）。抵抗Ｒ１で発生された電圧は、ダイオードＤ１を介して誤差増幅器３に伝達され、抵抗Ｒ２で発生された電圧は、ダイオードＤ３を介して誤差増幅器３に伝達される。【０００５】
誤差増幅器３は、抵抗Ｒ１からダイオードＤ１を介して伝達されてくる電圧または抵抗Ｒ２からダイオードＤ３を介して伝達されてくる電圧と内部で発生される基準電圧とを比較し、その誤差電圧をＰＷＭコンパレータ５へ送る。ＰＷＭコンパレータ５は、三角波発生器４で発生された三角波と誤差増幅器３から送られてくる誤差電圧とを比較することにより、誤差電圧に応じたパルス幅を有するパルス信号を生成する。つまり、誤差電圧が大きい時はパルス幅を広くし、小さい時はパルス幅を狭くしたパルス信号を生成する。このＰＷＭコンパレータ５で生成されたパルス信号は分周器６に送られる。【０００６】
分周器６は、ＰＷＭコンパレータ５から送られてくるパルス信号を分周し、１パルス毎に２つのドライブ信号に分けて第１ドライバ７及び第２ドライバ８にそれぞれ送る。第１ドライバ７は、分周器６からの出力をスイッチング素子Ｑ１へ駆動信号として送り、分周器６からの出力を位相反転させた信号をスイッチング素子Ｑ２へ駆動信号として送る。第２ドライバ８では、分周器６からの出力をスイッチング素子Ｑ３へ駆動信号として送り、分周器６からの出力を位相反転させた信号をスイッチング素子Ｑ４へ駆動信号として送る。【０００７】
この結果、スイッチング素子Ｑ１とＱ４が同時にオンする期間と、スイッチング素子Ｑ２とＱ３が同時にオンする期間が、抵抗Ｒ１及び抵抗Ｒ２で検出された電圧に基づいて決定され、スイッチング素子Ｑ１とＱ２又はスイッチング素子Ｑ３とＱ４が同時にオンすることはなく、スイッチング素子Ｑ１及びＱ４が同時にオンする期間とスイッチング素子Ｑ２及びＱ３が同時にオンする期間が交互に作られる。【０００８】
次に、上記のように構成される従来の放電管点灯装置の動作を説明する。まず、スイッチング素子Ｑ１及びＱ４がオンすると、直流電源Ｖｃｃから供給される電流は、スイッチング素子Ｑ１，コンデンサＣ１，第１トランスＴ１の一次巻線Ｐ１，スイッチング素子Ｑ４，共通電位線に沿って延びる経路を流れ、コンデンサＣ１及び第１トランスＴ１の一次巻線Ｐ１に電圧が印加される。その結果、コンデンサＣ１及び第１トランスＴ１の一次巻線Ｐ１のインダクタンスにより共振し、電流の波形は正弦波状になる。【０００９】
同様に、スイッチング素子Ｑ１及びＱ４がオンすると、直流電源Ｖｃｃから供給される電流は、スイッチング素子Ｑ１，コンデンサＣ２，第２トランスＴ２の一次巻線Ｐ２，スイッチング素子Ｑ４，共通電位線に沿って延びる経路を流れ、コンデンサＣ２及び第２トランスＴ２の一次巻線Ｐ２に電圧が印加される。その結果、コンデンサＣ２及び第２トランスＴ２の一次巻線Ｐ２のインダクタンスにより共振し、電流の波形は正弦波状になる。【００１０】
第１トランスＴ１の二次巻線Ｓ１及び第２トランスＴ２の二次巻線Ｓ２は、放電管２を点灯させるのに足る高電圧が発生するように巻かれているので、第１トランスＴ１の二次巻線Ｓ１及び第２トランスＴ２の二次巻線Ｓ２には相互に逆相の正弦波状の高電圧Ｖｏｕｔ１及びＶｏｕｔ２がそれぞれ発生する。このため、二次側では、第１トランスＴ１の二次巻線Ｓ１，放電管２，第２トランスＴ２の二次巻線Ｓ２，抵抗Ｒ２，抵抗Ｒ１，第１トランスＴ１の二次巻線Ｓ１に沿って延びる経路ＩＰ’をＡ方向に電流が流れ、放電管２を点灯させる。このとき、抵抗Ｒ２には放電管２に流れる電流に比例した電圧が発生しダイオードＤ３を介して誤差増幅器３に伝達される。一方、抵抗Ｒ１にはダイオードＤ１を逆方向にバイアスする電圧が発生するのでダイオードＤ１はオフし、電圧を出力しない。【００１１】
次に、スイッチング素子Ｑ２及びＱ３がオンすると、直流電源Ｖｃｃから、スイッチング素子Ｑ３，第１トランスＴ１の一次巻線Ｐ１，コンデンサＣ１，スイッチング素子Ｑ２，共通電位線に沿って延びる経路を電流が流れ、コンデンサＣ１及び第１トランスＴ１の一次巻線Ｐ１に逆方向に電圧が印加されるので、第１トランスＴ１の二次巻線Ｓ１には逆位相の正弦波状の高電圧が発生する。【００１２】
また、直流電源Ｖｃｃから、スイッチング素子Ｑ３，第２トランスＴ２の一次巻線Ｐ２，コンデンサＣ２，スイッチング素子Ｑ２，共通電位線に沿って延びる経路を電流が流れ、コンデンサＣ２及び第２トランスＴ２の一次巻線Ｐ２に正方向に電圧が印加されるので、第２トランスＴ２の二次巻線Ｓ２には正位相の正弦波状の高電圧が発生する。【００１３】
二次側では、第２トランスＴ２の二次巻線Ｓ２，放電管２，第１トランスＴ１の二次巻線Ｓ１，抵抗Ｒ１，抵抗Ｒ２，第２トランスＴ２の二次巻線Ｓ２に沿って延びる経路をＩＰ’をＢ方向に電流が流れ、放電管２を点灯させる。このとき、抵抗Ｒ１には放電管２に流れる電流に比例した電圧が発生され、ダイオードＤ１を介して誤差増幅器３に伝達される。【００１４】
一方、抵抗Ｒ２はダイオードＤ３を逆方向にバイアスする電圧が発生するので、ダイオードＤ３はオフし、電圧を出力しない。この結果、誤差増幅器３には、抵抗Ｒ１及び抵抗Ｒ２で発生する電圧を交互に合成した電流検出信号が入力され、この電流検出信号に基づいてＰＷＭコンパレータ５で生成されたパルス信号によってスイッチング素子Ｑ１〜Ｑ４がオンオフされる。これにより、放電管２に流れる電流が一定に制御される。
【発明の開示】
【発明が解決しようとする課題】
【００１５】
以上のように構成される従来の放電管点灯装置では、放電管２を点灯させるために、高周波で高電圧の出力が発生される。このため、高電圧部の近傍の導電体や筐体との距離が異常に近くなると、浮遊容量Ｃｒ１及びＣｒ２が大きくなり、これらの浮遊容量Ｃｒ１及びＣｒ２を介してリーク電流ＩＬ１’およびＩＬ２’が増加する。この放電管点灯装置では、抵抗Ｒ１及び抵抗Ｒ２に発生した電圧により放電管２に流れる電流を制御しているので、リーク電流が大きくなると放電管２に流れる電流が減少し、必要な輝度を確保できなくなる。【００１６】
また、放電管２の輝度を確保するために、放電管点灯装置はリーク電流分だけ余分に電流を供給することになり、放電管点灯装置が過負荷になることがある。上述した従来の放電管点灯装置では、これらの問題を解決することができず、そのまま動作を継続する。【００１７】
このような問題を解決するために、日本国特開２００３−１７２８７号公報には、高周波電力点灯において、漏洩電流による誤動作が生じ難い地絡保護機能付冷陰極放電管点灯用電源装置が開示される。この地絡保護機能付冷陰極放電管点灯用電源装置は、二次巻線にセンタタップを設け、リーク電流が発生するとセンタタップの電位が共通電位に対して変動することを利用してリーク電流の有無を検出し、インバータを停止させる。【００１８】
課題を解決するための手段
しかしながら、特許文献１に記載された装置では、トランスをセンタタップにするのでトランスの構造が複雑になって大きくなり、また、センタタップの電位変動を検出する回路の構成が難しくなる等の問題点がある。【００１９】
本発明は、上述した問題を解消するためになされたものであり、その課題は、簡単な構造でリーク電流に起因する異常を排除できる放電管点灯装置を提供することにある。【００２０】
本発明の技術的側面によれば、放電管点灯装置は、直流電源を高周波電力に変換する第１インバータと、前記直流電源を前記第１インバータと逆位相の高周波電力に変換する第２インバータと、前記第１インバータの一方の出力端子と前記第２インバータの一方の出力端子との間に接続された放電管と、前記第１インバータの他方の出力端子と共通電位との間に設けられる第１電流検出器であって、第１電流検出要素と第２電流検出要素とが直列接続されてなるものと、前記第２インバータの他方の出力端子と前記共通電位との間に設けられる第２電流検出器であって、第３電流検出要素と第４電流検出要素とが直列接続されてなるものと、前記第１電流検出要素と前記第２電流検出要素とが接続された接続点と前記第３電流検出要素と前記第４電流検出要素とが接続された接続点とに共通に接続される保護回路であって、前記第２電流検出要素の出力と前記第４電流検出要素の出力とを合成した信号に基づいて電流異常を検出し、前記第１インバータ及び前記第２インバータの動作を停止させるものとを具備することを特徴とする。
【図面の簡単な説明】
【００２１】
【図１】図１は、一般的な両端高圧型の放電管点灯装置の回路構成を示す図である。
【図２】図２は、本発明の実施例に係る両端高圧型の放電管点灯装置の回路構成を示す図である。
【発明を実施するための最良の形態】
【００２２】
以下、本発明の実施の形態を、図面を参照しながら詳細に説明する。【００２３】
図２は、本発明の実施例に係る両端高圧型の放電管点灯装置の回路構成を示す図である。この放電管点灯装置では、直流電源Ｖｃｃと共通電位（例えばグランド）との間には、４個のスイッチング素子Ｑ１〜Ｑ４がブリッジ接続されたスイッチング回路１が設けられている。スイッチング素子Ｑ２及びＱ４はＮチャンネルＭＯＳから構成されており、スイッチング素子Ｑ１及びＱ３はＰチャンネルＭＯＳから構成されている。【００２４】
スイッチング回路１の出力は、共振コンデンサＣ１を介して第１トランスＴ１の一次巻線Ｐ１に接続されるとともに、共振コンデンサＣ２を介して第２トランスＴ２の一次巻線Ｐ２に接続されている。本発明の第１インバータは、スイッチング回路１及び第１トランスＴ１に対応し、第２インバータは、スイッチング回路１及び第２トランスＴ２に対応する。【００２５】
第１トランスＴ１の二次巻線Ｓ１の一端は放電管２の一方の電極に接続され、二次巻線Ｓ１の他端は電流検出用の抵抗Ｒ３（本発明の第１電流検出要素に対応）及び抵抗Ｒ５（本発明の第２電流検出要素に対応）を介して共通電位に接続されている。抵抗Ｒ３及び抵抗Ｒ５から成る直列回路は、本発明の第１電流検出回路に対応する。【００２６】
放電管２の他方の電極は第２トランスＴ２の二次巻線Ｓ２の一端に接続され、第２トランスＴ２の二次巻線Ｓ２の他端は電流検出用の抵抗Ｒ４（本発明の第３電流検出要素に対応）及び抵抗Ｒ６（本発明の第４電流検出要素に対応）を介して共通電位に接続されている。抵抗Ｒ４及び抵抗Ｒ６から成る直列回路は、本発明の第２電流検出回路に対応する。抵抗Ｒ３の抵抗値と抵抗Ｒ４の抵抗値とは等しくなるように設定される。また、抵抗Ｒ５の抵抗値と抵抗Ｒ６の抵抗値とは等しくなるように設定される。抵抗Ｒ３と抵抗Ｒ５の接続点である第１接続点と、抵抗Ｒ４と抵抗Ｒ６の接続点である第２接続点とは相互に接続されるとともに、ダイオードＤ５のアノードに接続されている。ダイオードＤ５のカソードは、保護回路９に接続されている。保護回路９は、ダイオードＤ５から送られてくる信号が所定電圧以上である場合に、制御信号を生成してＰＷＭコンパレータ５に送り、ＰＷＭコンパレータ５の動作を停止させる。【００２７】
第１トランスＴ１の二次巻線Ｓ１に流れる電流は、抵抗Ｒ３で発生される電圧として検出され、第２トランスＴ２の二次巻線Ｓ２に流れる電流は、抵抗Ｒ４で発生される電圧として検出される。抵抗Ｒ３で発生された電圧は、ダイオードＤ１を介して誤差増幅器３に伝達され、抵抗Ｒ４で発生された電圧は、ダイオードＤ３を介して誤差増幅器３に伝達される。【００２８】
誤差増幅器３は、抵抗Ｒ３からダイオードＤ１を介して伝達されてくる電圧または抵抗Ｒ４からダイオードＤ３を介して伝達されてくる電圧と内部で発生される基準電圧とを比較し、その誤差電圧をＰＷＭコンパレータ５へ送る。【００２９】
なお、ＰＷＭコンパレータ５、三角波発生器４、分周器６、第１ドライバ７及び第２ドライバ８の構成は、図１に示すそれらの構成と同一であるので、ここでは、その詳細は省略する。【００３０】
また、図２に示す本発明における放電管点灯装置の通常の動作は、図１に示す一般的な放電管点灯装置の通常の動作と同様であるのでその説明は省略する。【００３１】
ここでは、リーク電流が発生した場合の動作について説明する。例として、放電管２の第１トランスＴ１に接続された電極付近に存在する浮遊容量Ｃｒ１によってリーク電流が流れた場合の動作を説明する。【００３２】
まず、スイッチング素子Ｑ１及びＱ４がオンすると、上述した一次側の動作によって、第１トランスＴ１の二次巻線Ｓ１には共通電位より高い電圧Ｖｏｕｔ１が発生し、第２トランスＴ２の二次巻線Ｓ２は第１トランスＴ１の二次巻線Ｓ１とは逆向きに巻いてあるので、二次巻線Ｓ２には共通電位より低い電圧Ｖｏｕｔ２が発生する。このため、二次側では、第１トランスＴ１の二次巻線Ｓ１，放電管２，第２トランスＴ２の二次巻線Ｓ２，抵抗Ｒ４，抵抗Ｒ３，第１トランスＴ１の二次巻線Ｓ１に沿って延びる経路ＩＰをＡ方向に電流が流れ、放電管２を点灯させるとともに、第１トランスＴ１の二次巻線Ｓ１，浮遊容量Ｃｒ１，抵抗Ｒ５（及び抵抗Ｒ６），抵抗Ｒ３，第１トランスＴ１の二次巻線Ｓ１に沿って延びる経路ＩＬ１をＡ方向にリーク電流が流れる。【００３３】
放電管２を流れる電流は、電流検出用の抵抗Ｒ３及び抵抗Ｒ４を流れるが、リーク電流は抵抗Ｒ３及び抵抗Ｒ５（抵抗Ｒ６にも流れるが、抵抗Ｒ６を通る経路は長いのでインピーダンスが上り、抵抗Ｒ５を流れる電流より少なくなる）を流れるので、抵抗Ｒ５に電圧が発生する。抵抗Ｒ５に発生した電圧でリーク電流を検出しても良いが、図２に示した実施例ではダイオードＤ５が逆バイアスになり、抵抗Ｒ５に発生した電圧は保護回路９へは伝達されない。【００３４】
次に、スイッチング素子Ｑ２及びＱ３がオンすると、第２トランスＴ２の二次巻線Ｓ２に共通電位より高い電圧Ｖｏｕｔ２が発生し、第１トランスＴ１の二次巻線Ｓ１に共通電位より低い電圧Ｖｏｕｔ１が発生する。このため、第２トランスＴ２の二次巻線Ｓ２，放電管２，第１トランスＴ１の二次巻線Ｓ１，抵抗Ｒ３，抵抗Ｒ４，第２トランスＴ２の二次巻線Ｓ２に沿って延びる経路をＢ方向に電流が流れて放電管２を点灯させるとともに、第１トランスＴ１の二次巻線Ｓ１，抵抗Ｒ３，抵抗Ｒ５（抵抗Ｒ６），浮遊容量Ｃｒ１，第１トランスＴ１の二次巻線Ｓ１に沿って延びる経路ＩＬ１をＢ方向にリーク電流が流れる。【００３５】
放電管２を流れる電流は、電流検出用の抵抗Ｒ３及び抵抗Ｒ４を流れるが、リーク電流は抵抗Ｒ３及び抵抗Ｒ５（抵抗Ｒ６にも流れるが、抵抗Ｒ６を通る経路は長いのでインピーダンスが上り、抵抗Ｒ５を流れる電流より少なくなる）を流れるので、抵抗Ｒ５に電圧が発生する。抵抗Ｒ５に発生した電圧は、ダイオードＤ５を介して保護回路９に入力され、保護回路９で基準電圧と比較される。通常の場合、リーク電流が発生しても電流は少ないので、抵抗Ｒ５に発生した電圧は、保護回路９の基準電圧以下となり、保護回路９は異常信号を出力しない。【００３６】
浮遊容量Ｃｒ１が増えると、リーク電流が増加し抵抗Ｒ５に発生した電圧が上昇する。抵抗Ｒ５に発生した電圧が保護回路９の基準電圧に達すると、保護回路９は異常信号を出力し、ＰＷＭコンパレータ５を停止させる。この結果、第１インバータ及び第２インバータが停止する。このように、放電管２の電極と筐体との距離が異常に近くなるなどで、リーク電流が増加すると、安全に第１インバータ及び第２インバータを停止させることができる。【００３７】
また、放電管２の第２トランスＴ２に接続された電極付近に存在する浮遊容量Ｃｒ２が増大してリーク電流が流れる場合は、スイッチング素子Ｑ１及びＱ４がオンしたとき、第１トランスＴ１の二次巻線Ｓ１，放電管２，第２トランスＴ２の二次巻線Ｓ２，抵抗Ｒ４，抵抗Ｒ３，第１トランスＴ１の二次巻線Ｓ１に沿って延びる経路ＩＰをＡ方向に電流が流れて放電管２を点灯させるとともに、第２トランスＴ２の二次巻線Ｓ２，抵抗Ｒ４，抵抗Ｒ６（抵抗Ｒ５），浮遊容量Ｃｒ２，第２トランスＴ２の二次巻線Ｓ２に沿って延びる経路をＡ’方向にリーク電流ＩＬ２が流れる。この場合は、リーク電流によって主に抵抗Ｒ６に発生する電圧を保護回路９で検出し、保護回路９に内蔵された基準電圧に達すると、第１インバータ及び第２インバータを停止させる。このように、リーク電流が増加し、保護回路９に内蔵された基準電圧に基づく所定の電流値以上になると、安全に第１インバータ及び第２インバータを停止させることができる。【００３８】
上述した本施例に係る放電管点灯装置では、第１インバータの出力と第２インバータの出力との位相を反転させて放電管２に直列に接続して電力を供給するので、第１インバータの出力と第２インバータの出力は同期している（完全に位相が反転している）必要がある。【００３９】
これに対し、１つのインバータを用い、出力の位相が逆になる２個のトランスを使用して第１インバータの出力及び第２インバータの出力とするように構成することもでき、この場合は構成が簡単になる。【００４０】
なお、抵抗Ｒ５及び抵抗Ｒ６は並列に接続されるので、１つだけでも動作可能であるが、これらに流れる電流は高周波であるので、リーク電流の経路が長くなるとインピーダンスが増加してリーク電流を検出できないことがある。この対策としては、各トランスの近傍に検出抵抗をそれぞれ配置すればよい。これによりリーク電流を確実に検出できる。【００４１】
発明の効果
本発明によれば、リーク電流が発生しない場合は、第１電流検出素子及び第３電流検出素子だけに電流が流れるが、リーク電流が発生した場合は、第２電流検出素子及び第４電流検出素子にもリーク電流が流れる。したがって、リーク電流だけが流れる第２電流検出素子及び第４電流検出素子を設けるだけといった簡単な構成により、リーク電流を確実に検出できる。これにより、簡単な構造であるにも拘らずリーク電流の増加に起因する異常を排除できる。【００４２】
さらに、１つのスイッチング回路と２つのトランスとで放電管を制御するように構成すれば構成がさらに簡単になる。【００４３】
産業上の利用可能性
本発明に係る放電管点灯装置は、大画面のディスプレイ装置に利用可能である。【００４４】
（米国指定）
本国際特許出願は米国指定に関し、２００６年４月１２日に出願された日本国特許出願第２００６−１１０００７号（２００６年４月１２日出願）について米国特許法第１１９条（ａ）に基づく優先権の利益を援用し、当該開示内容を引用する。
【図１】
2007117011.tif 000003
【図２】
2007117011.tif 000004
【国際調査報告】
2007117011.tif 000005
2007117011.tif 000006